【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
回転ダイヤルを有する多機能入力スイッチを側縁部に収容し、表示パネルを含む筐体である第１の筐体と、
前記第１の筐体の第１の面において前記回転ダイヤルの周側部が前記第１の筐体から露出しており、前記第１の面と異なる面であって、前記表示パネルの表示面である前記第１の筐体の第２の面から前記回転ダイヤルの円形面部が前記第１の筐体から露出しており、前記第１の面と前記第２の面との双方から回転操作可能である前記回転ダイヤルを有する前記多機能入力スイッチと、
前記第１の筐体との相対的な位置を移動可能に、該第１の筐体に連結された第２の筐体とを備え、
前記第１の筐体のうち、前記第２の面が前記第２の筐体に対向し、対向する前記第２の筐体のために該第２の面から前記円形周部が操作不可能な位置においても、前記第１の筐体の第１の面において露出した前記回転ダイヤルの周側部は操作可能であることを特徴とする入力装置。
【請求項２】
前記回転ダイヤルの下に、前記回転ダイヤルの周方向に配列された複数のタクティールスイッチを備えることを特徴とする請求項１記載の入力装置。
【請求項３】
前記円形面部の周辺部に突起又は凹部を備え、前記周側部に刻み目を備えることを特徴とする請求項１又は２記載の入力装置。
【請求項４】
前記第１の筐体の前記側縁部に配された操作スイッチを更に備えることを特徴とする請求項１乃至３のいずれか１項に記載の入力装置。
【請求項５】
前記操作スイッチは、一端が前記第１の筐体の前記側縁部に可動自在に連結された断面Ｌ字形部材と、前記Ｌ字形部材の他端の下方に配されたタクティールスイッチと、前記Ｌ字形部材の一端に設けられた第１の押下部と、前記Ｌ字形部材の他端に設けられた第２の押下部とを備え、
前記第１の押下部と前記第２の押下部のうち一方が前記第１の面に配され、他方が前記第２の面に配されたことを特徴とする請求項４記載の入力装置。
【請求項６】
当該入力装置は前記第２の筐体に撮像手段を有する撮像装置であることを特徴とする請求項１乃至５のいずれか１項に記載の入力装置。
【請求項７】
表示パネルを含む筐体である表示部と、
前記表示部の側縁部に収容される、回転ダイヤルを有する多機能入力スイッチであって、前記表示部の第１の面において前記回転ダイヤルの周側部が前記表示部から露出しており、前記第１の面と異なる面であって、前記表示パネルの表示面である前記表示部の第２の面から前記回転ダイヤルの円形面部が前記表示部から露出しており、前記回転ダイヤルは前記第１の面と前記第２の面との双方から操作可能である多機能入力スイッチと、
撮像手段を含む筐体である撮像部と、
前記表示部を前記撮像部の側部前側に上下軸及び左右軸の回りに夫々回動自在に連結する連結手段とを備えることを特徴とする撮影装置。
【請求項８】
前記回転ダイヤルの下に、前記回転ダイヤルの周方向に配列された複数のタクティールスイッチを備えることを特徴とする請求項７記載の撮影装置。
【請求項９】
前記表示部が前記左右軸の回りに反転したことを検出する第１の検出手段と、前記表示部が前記左右軸の回りに反転したときは、前記タクティールスイッチの検出結果を上下入れ替える入れ替え手段とを備えることを特徴とする請求項８記載の撮影装置。
【請求項１０】
前記撮影装置が再生モードにあるか否かを判別する判別手段を備え、前記表示部が前記左右軸の回りに反転した場合において、前記撮像装置が再生モードにあるときは、前記入れ替え手段は、前記表示部の表示を上下左右夫々反転すると共に前記タクティールスイッチの検出結果を上下左右夫々入れ替えることを特徴とする請求項９記載の撮影装置。
【請求項１１】
前記撮影装置が鏡像撮影モードにあるか否かを判別する判別手段を備え、前記表示部が前記左右軸の回りに反転した場合において、前記撮像装置が鏡像撮影モードにあるときは、前記入れ替え手段は、前記表示部の表示を上下反転すると共に前記タクティールスイッチの検出結果を上下入れ替えることを特徴とする請求項１０記載の撮影装置。
【請求項１２】
前記撮影装置が鏡像撮影モードにあるか否かを判別する判別手段を備え、前記表示部が前記左右軸の回りに反転した場合において、前記撮像装置が鏡像撮影モードでないときは、前記入れ替え手段は、前記表示部の表示を上下左右夫々反転すると共に前記タクティールスイッチの検出結果を上下左右夫々入れ替えることを備えることを特徴とする請求項９記載の撮影装置。
【請求項１３】
さらに、前記多機能入力スイッチの周辺に選択スイッチを備えることを特徴とする請求項７乃至１２のいずれか１項に記載の撮影装置。
【請求項１４】
前記入れ替え手段は、前記回転ダイヤルの周方向に配列された複数のタクティールスイッチの検出結果の入れ替えに基づいて、前記選択スイッチの検出結果を上下入れ替えることを特徴とする請求項１３記載の撮影装置。
【請求項１５】
さらに、前記表示部が前記上下軸の回りに回動することにより前記表示部が閉じたことを検出する第２の検出手段と、前記表示部とは別の表示手段とを備え、
前記表示部が閉じたことを検出した時に、前記表示手段に前記表示部に表示させるべき表示を制御する表示制御手段を有し、
前記表示制御手段は、前記表示手段に任意のメニュー及びアイコンを表示させ、
前記多機能入力スイッチ及び前記選択スイッチの少なくとも一方は、前記表示手段に表示された前記任意のメニュー及びアイコンを任意に操作及び選択するように構成されていることを特徴とする請求項１３又は１４記載の撮影装置。
【手続補正２】
【補正対象書類名】明細書
【補正対象項目名】発明の名称
【補正方法】変更
【補正の内容】
【発明の名称】入力装置及び撮影装置
【手続補正３】
【補正対象書類名】明細書
【補正対象項目名】０００１
【補正方法】変更
【補正の内容】
【０００１】
本発明は、入力装置及び撮影装置に関し、特に、小型携帯機器等の開閉／回動可能な表示部に取り付けた多機能入力スイッチを含む入力装置、及び該スイッチを備える撮影装置に関する。
【手続補正４】
【補正対象書類名】明細書
【補正対象項目名】０００７
【補正方法】変更
【補正の内容】
【０００７】
上記の目的を達成するために、請求項１記載の入力装置は、回転ダイヤルを有する多機能入力スイッチを側縁部に収容し、表示パネルを含む筐体である第１の筐体と、前記第１の筐体の第１の面において前記回転ダイヤルの周側部が前記第１の筐体から露出しており、前記第１の面と異なる面であって、前記表示パネルの表示面である前記第１の筐体の第２の面から前記回転ダイヤルの円形面部が前記第１の筐体から露出しており、前記第１の面と前記第２の面との双方から回転操作可能である前記回転ダイヤルを有する前記多機能入力スイッチと、前記第１の筐体との相対的な位置を移動可能に、該第１の筐体に連結された第２の筐体とを備え、前記第１の筐体のうち、前記第２の面が前記第２の筐体に対向し、対向する前記第２の筐体のために該第２の面から前記円形周部が操作不可能な位置においても、前記第１の筐体の第１の面において露出した前記回転ダイヤルの周側部は操作可能であることを特徴とする。
【手続補正５】
【補正対象書類名】明細書
【補正対象項目名】０００８
【補正方法】変更
【補正の内容】
【０００８】
請求項７記載の撮影装置は、表示パネルを含む筐体である表示部と、前記表示部の側縁部に収容される、回転ダイヤルを有する多機能入力スイッチであって、前記表示部の第１の面において前記回転ダイヤルの周側部が前記表示部から露出しており、前記第１の面と異なる面であって、前記表示パネルの表示面である前記表示部の第２の面から前記回転ダイヤルの円形面部が前記表示部から露出しており、前記回転ダイヤルは前記第１の面と前記第２の面との双方から操作可能である多機能入力スイッチと、撮像手段を含む筐体である撮像部と、前記表示部を前記撮像部の側部前側に上下軸及び左右軸の回りに夫々回動自在に連結する連結手段とを備えることを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明によれば、回転ダイヤルは、周側部が第１の筐体から露出しており、第１の面と異なる面であって、表示パネルの表示面である第１の筐体の第２の面から円形面部が第１の筐体から露出しているので、回転ダイヤルを周側部及び円形面部の双方において操作可能とすることができ、回転面上面が操作可能な方向を向いている際には、回転面上面からの選択、決定操作が可能となる。